(57)【要約】 【課題】  コンパクトにしてかつ球の全周面を研磨することができるパチンコ球研磨装置を提供する。【解決手段】  外周面に球搬送用の螺旋溝３が形成された回転棒１と、球案内用の溝条部４が回転棒１と平行に形成された研磨ガイド部材２と、溝条部内に敷設された研磨布６と、研磨ガイド部材２を回転棒１の方向に付勢して螺旋溝３内の球に研磨布６を押し付ける弾性体７とにより研磨装置を構成する。なお、回転棒１の球入り側端部１ａの螺旋溝３に取り込まれた球に後続する次球と、回転棒１との間に空隙を形成して、次球と回転棒１とを非接触とすることによって、次球が前の球と同時に噛み込まれるのを防止できる。【選択図】    図１
2005224402.tif 000002
【特許請求の範囲】
【請求項１】
外周面に球搬送用の螺旋溝が形成された回転棒と、球案内用の溝条部が前記回転棒と平行に形成された研磨ガイド部材と、溝条部内に敷設された研磨布と、研磨ガイド部材を回転棒の方向に付勢して螺旋溝内の球に研磨布を押し付ける弾性体とからなり、球を回転棒の回転により溝条部内をスクリュー搬送させつつ研磨布を擦り付けて球を研磨するようにしたことを特徴とするパチンコ球研磨装置。
【請求項２】
回転棒の球入り側端部の螺旋溝に取り込まれた球に後続する次球と、回転棒との間に空隙を形成して、次球と回転棒とを非接触とした請求項１に記載のパチンコ球研磨装置。
【請求項３】
溝条部の球入り側端部に、この溝条部に連通する球導入路を備えた球供給機構を配設した請求項１〜２の何れかに記載のパチンコ球研磨装置。
【請求項４】
溝条部の球入り側端部の底面を湾曲状として、球不存在時の段差の形成を防止した請求項３に記載のパチンコ球研磨装置。
【発明の詳細な説明】
【技術分野】
【０００１】
本発明は、パチンコ機設置島などに配設されるパチンコ球研磨装置の改良に関するものである。
【背景技術】
【０００２】
遊技に供した球を研磨布に押し当てて研磨する従来のパチンコ球研磨装置として、例えば特許文献１に開示されたものが知られている。この研磨装置は、上下方向に駆動される無端状の揚送ベルトと、該揚送ベルトの上昇側に対向して配置される研磨布を備え、球を揚送ベルトと研磨布との間で適圧挟持しながら上方へ揚送するようにした球磨揚送機において、前記研磨布を無端状に形成して上下方向に回転可能に設けるとともに、研磨布の下降側に該研磨布の清掃手段を設けたものである。この研磨装置においては研磨布を無端状にしてゆっくり回転させるとともに、ブラシなどの清掃手段によって研磨布に付着した汚れを球の揚送と同時に除去するようにしたものであるから、研磨布を長時間にわたって綺麗な状態に維持することができる。
【０００３】
しかしながら、この装置は上記のとおり球を揚送しつつ研磨を行うものであるので、装置全体がかなり大きなものとなってしまうという問題があった。さらに、球を研磨する際に球が進行方向のみにしか回転しないために、その両サイドを研磨することができないという大きな欠点があった。
【特許文献１】特開平９−１７３６１７号公報  (図２)
【発明の開示】
【発明が解決しようとする課題】
【０００４】
本発明は上記した従来の問題点を解決して、コンパクトにしてかつ球の全周面を研磨することができるパチンコ球研磨装置を提供するためになされたものである。
【課題を解決するための手段】
【０００５】
上記の課題を解決するためになされた本発明のパチンコ球研磨装置は、外周面に球搬送用の螺旋溝が形成された回転棒と、球案内用の溝条部が前記回転棒と平行に形成された研磨ガイド部材と、溝条部内に敷設された研磨布と、研磨ガイド部材を回転棒の方向に付勢して螺旋溝内の球に研磨布を押し付ける弾性体とからなり、球を回転棒の回転により溝条部内をスクリュー搬送させつつ研磨布を擦り付けて球を研磨するようにしたことを特徴とするものである。
【０００６】
なお、回転棒の球入り側端部の螺旋溝に取り込まれた球に後続する次球と、回転棒との間に空隙を形成して、次球と回転棒とを非接触とするのが望ましい。また、溝条部の球入り側端部に、この溝条部に通ずる球導入路を備えた球供給機構を配設することができ、溝条部の球入り側端部の底面を湾曲状に形成して、球の不存在により研磨ガイド部材が弾性体により押し上げられた時に球導入路出側と溝条部入り側との間で段差の生ずるのを防止するのが望ましい。
【発明の効果】
【０００７】
本発明のパチンコ球研磨装置は、研磨に際して球をスクリュー搬送するようにしたので、球を前方及び横方向に回転させることができて、球の全周面を研磨することができる。また、球に研磨布を弾性体の付勢により押し当てるようにしたので、適当な圧力でもって球を研磨することができる。また、回転棒の球入り側端部の螺旋溝に取り込まれた球に後続する次球と、回転棒との間に空隙を形成したので、次球が前の球と同時に噛み込まれるのを防止することができる。また、溝条部の球入り側端部に球供給機構を設けたので、溝条部への球の供給を円滑に行うことができる。さらに、溝条部の球入り側端部の底面を湾曲状に形成したので、球切れなどにより研磨ガイド部材が上方に押し上げられた時に球導入路出側と溝条部入り側との間で段差が生ずることがない。したがって、供給再開された先頭球が段差によって詰まることがない。
【発明を実施するための最良の形態】
【０００８】
以下に図面を参照しつつ本発明の好ましい実施形態を説明する。
図１、２は、本発明のパチンコ球研磨装置の概略構成を示す図である。図において、１は水平状に配された回転棒、２は研磨ガイド部材である。前記回転棒１は球揚送用の駆動ローラ２１にギア２２、２３、２４、２５、２６、２７により接続されており、駆動ローラ２１と同期して回転する。回転棒１の外周面には、球をスクリュー搬送するための螺旋溝３が回転棒１の球入り側端部１ａから球出側端部１ｂにかけて形成されており、隣り合う螺旋溝３の間は螺旋状の山部１０となっている。また、研磨ガイド部材２は回転棒１の垂直下方に配設されているが、このガイド部材２は回転棒１の方に弾性体７により付勢されている。
【０００９】
図３〜５に上記研磨装置の詳細構造を示す。上記したように回転棒１には螺旋状の山部１０が周設され、それらの間に螺旋溝３が形成されている。水平状に配される回転棒１の垂直下方に設けられる研磨ガイド部材２には、回転棒１と対向する面に凹状の溝条部４が形成されており、この溝条部４は回転棒１の軸心１ｃと平行になるように配設されている。また、溝条部４を覆うように研磨布６が敷設されている。
【００１０】
回転棒１の球入り側端部１ａには球供給機構５が配設されているが、この球供給機構５は、溝条部４に通ずる球導入路１１を備えた球供給部材１２と、球導入路１１に球を送りこむ傾斜樋１３とからなる。球はこの傾斜樋１３を下って球導入路１１に送り込まれる。また、球導入路１１は前方にやや低く傾斜している。
【００１１】
そして、溝条部４と球導入路１１とをほぼ一線状に連通形成することによって、球が一列に形成される。回転棒１を回転させた時には、球入り側端部１ａの螺旋状の山部１０が球列の間に割り込むので、球を一球ずつ螺旋溝３内に取り込んで、球を溝条部４内をスクリュー搬送することができる。
【００１２】
なお、球を回転棒１の横方向から球入り側端部１ａに取り込む場合には、図７に示すように、螺旋溝３に取り込まれた球に後続する次球と、回転棒１との間に空隙を形成するのが望ましい。空隙を形成することによって、次球と回転棒１とを非接触とすることができるので、次球が前の球と同時に噛み込まれるのを防止できる。
【００１３】
なお、図３は螺旋溝３内に球が存在していない状態を示す図であって、研磨ガイド部材２は弾性体７の付勢により上方に弾発されており、螺旋溝３の底面と、これに対向する溝条部４の底面との間隔は、球の直径より狭くなっている。したがって、球が螺旋溝３によって取り込まれた時には、溝条部４との間に球を挟持して研磨布６を球に押し付けることができる。
【００１４】
また、溝条部４の球入り側端部の底面を湾曲状底面４ａとしてあるので、球が不存在となって研磨ガイド部材２が上方に弾発された時に、球導入路１１出口と溝条部４の球入り側端部との間に段差が形成されるのを防止してある。したがって、球の取り込みを再開した時に先頭球が段差に詰まることなく球が湾曲条底面４ａに沿って移動し、研磨ガイド部材２を徐々に押し下げつつ、図６に示すような研磨の定常状態に移行することができる。
【００１５】
スクリュー搬送される球は回転棒１の軸方向と螺旋溝３に沿う方向の、交差する２方向に回転するので、球の全周面を研磨することができる。なお、研磨布６は適宜新品と交換することができるし、無端状や有端状に形成して汚れの程度に応じて適宜巻取りながら非汚染部にて球を研磨するようにすることもできる。研磨された球は、回転棒１の球出側端部１ｂより排出されて球揚送装置２０の球通路２８に送り込まれ、駆動ローラ２１の回転によりパチンコ機設置島の上部に揚送される。
【００１６】
以上説明したように、本発明のパチンコ球研磨装置は、球をスクリュー搬送しつつ研磨するようにしたので、球を交差する２方向に回転させて球の全周面を研磨することができるという大きな効果を奏する。また、研磨装置を揚送装置とは別個独立に設けることができるので、コンパクトなものとすることができる利点がある。
【図面の簡単な説明】
【００１７】
【図１】本発明のパチンコ球研磨装置の正面図である。
【図２】本発明のパチンコ球研磨装置の平面図である。
【図３】図２のＡ−Ａ線断面図である。
【図４】図２のＢ−Ｂ線断面図である。
【図５】図２のＣ−Ｃ線断面図である。
【図６】球研磨中であるパチンコ球研磨装置の正面断面図である。
【図７】螺旋溝に取り込まれた球に後続する次球と回転棒との間に空隙を設けたパチンコ球研磨装置の側面図である。
【符号の説明】
【００１８】
１  回転棒
１ａ  回転棒の球入り側端部
１ｂ  回転棒の球出側端部
２  研磨ガイド部材
３  螺旋溝
４  溝条部
４ａ  湾曲状底面
５  球供給機構
６  研磨布
７  弾性体(コイルバネ)
１０  螺旋状の山部
１１  球導入路
１２  球供給部材
【図１】
2005224402.tif 000003
【図２】
2005224402.tif 000004
【図３】
2005224402.tif 000005
【図４】
2005224402.tif 000006
【図５】
2005224402.tif 000007
【図６】
2005224402.tif 000008
【図７】
2005224402.tif 000009